(57)【要約】【課題】本発明は、傘用盗難防止錠に関し、簡単に着脱が可能で他の傘に簡単に付け替え可能な小型で軽量の傘用盗難防止錠を提供することを目的とする。【解決手段】傘用盗難防止錠１００は、その一部を欠いたリング状の形状を有しその一端にワイヤー穴１４及び係止穴１３を有する本体１と、本体１の他端にその一端が固定され、所定の状態で係止爪２１を係止穴１３に挿入することが可能であって、その状態において本体１の一端のワイヤー穴１４に対応するワイヤー長穴２２を有する係止部２と、本体１から引き出されその先端がワイヤー長穴２２を介してワイヤー穴１４に挿入されるワイヤー３と、施錠状態でワイヤー穴１４に挿入されたワイヤー３をロックし解錠状態でワイヤー３のロックを外すロック部４とを備える。【選択図】          図１
2005009094.tif 000002
【特許請求の範囲】
【請求項１】
傘とは独立して持ち運び可能であり、傘の柄に着脱可能に取り付けられる傘用盗難防止錠であって、
その一部を欠いたリング状の形状を有し、その一端の近傍にワイヤー穴及び係止穴を有する本体と、
前記本体の他端にその一端が固定され、その他端に係止爪を有し、所定の状態で前記係止爪を前記係止穴に挿入することが可能であって、当該状態において前記本体の一端のワイヤー穴に対応するように設けられるワイヤー長穴を有する係止部と、
前記本体の他端の内部にその大部分が内蔵され、前記本体から引き出され、その先端が前記ワイヤー長穴を介して前記ワイヤー穴に挿入されるワイヤーと、
前記本体の一端の内部に内蔵され、施錠状態で前記ワイヤー穴に挿入された前記ワイヤーをロックし、解錠状態で前記ワイヤーのロックを外すロック部とを備える
ことを特徴とする傘用盗難防止錠。
【発明の詳細な説明】
【０００１】
【発明の属する技術分野】
本発明は、傘用盗難防止錠に関し、特に、簡単に着脱が可能で他の傘に簡単に付け替えることができる小型で軽量の傘用盗難防止錠に関する。
【０００２】
【従来の技術】
雨傘、日傘等の傘は外出先で盗難にあったり遺失したりしやすい（以下、単に盗難と言う）。このため、従来から、例えば高価な傘向けに、傘の盗難を防止するために、傘に盗難防止の錠をかけることが行われる。例えば、傘に錠を内蔵させるタイプのもの（特許文献１、２参照）、取り付け金具とビスとで傘に錠を取り付けるタイプのもの（特許文献３参照）が知られている。
【０００３】
【特許文献１】
特開平８−６０９２１号公報
【特許文献２】
特開平８−３１２２２３号公報
【特許文献３】
特開平９−２８４３２号公報
【０００４】
【発明が解決しようとする課題】
前述のように、傘用の盗難防止用の錠には種々の方式が知られている。しかし、傘に錠を内蔵させるタイプのものでは、傘と錠とが一体であり、使用者が自分の好みの傘に錠を取り付けることは不可能である。また、取り付け金具とビスとで傘に錠を取り付けるタイプのものでは、着脱に工具が必要であり、また、取り付け後は傘と錠とが一体となり、傘に一度取り付けた錠は外出先等で簡単に取り外すことはできない。更に、このタイプのものはチェーンを用いるので、これがかさばる上に錠全体の重量も重くなるので持ち運びに不便であり、誰にでも使える傘用の錠としては現実的ではない。
【０００５】
本発明は、簡単に着脱が可能で他の傘に簡単に付け替えることができる小型で軽量の傘用盗難防止錠を提供することを目的とする。
【０００６】
【課題を解決するための手段】
本発明の傘用盗難防止錠は、傘とは独立して持ち運び可能であり、傘の柄に着脱可能に取り付けられる傘用盗難防止錠であって、その一部を欠いたリング状の形状を有し、その一端の近傍にワイヤー穴及び係止穴を有する本体と、前記本体の他端にその一端が固定され、その他端に係止爪を有し、所定の状態で前記係止爪を前記係止穴に挿入することが可能であって、当該状態において前記本体の一端のワイヤー穴に対応するように設けられるワイヤー長穴を有する係止部と、前記本体の他端の内部にその大部分が内蔵され、前記本体から引き出され、その先端が前記ワイヤー長穴を介して前記ワイヤー穴に挿入されるワイヤーと、前記本体の一端の内部に内蔵され、施錠状態で前記ワイヤー穴に挿入された前記ワイヤーをロックし、解錠状態で前記ワイヤーのロックを外すロック部とを備える。
【０００７】
本発明の傘用盗難防止錠によれば、傘から錠が独立しているので、使用者が自分の好みの傘に錠を取り付けることができ、また、工具は不要であり着脱が容易（着脱自在）であるので、傘に一度取り付けた錠を他の傘に付け替えることも容易であり、また、例えばチェーンを取り付ける必要がないので、錠がかさばったり重くなったりすることがなく、持ち運びに便利であり、誰にでも傘用の錠として使用することができる。これにより、高価な傘等の盗難を有効に防止することができる。
【０００８】
【発明の実施の形態】
図１は傘用盗難防止錠構成図であり、本発明の傘用盗難防止錠１００の外観の構成を示す。特に、図１（Ａ）及び図１（Ｂ）は傘２００へ取り付ける前の状態を示し、図１（Ｃ）は傘２００へ取り付ける前の状態を示す。
【０００９】
傘用盗難防止錠１００は、傘２００（図５参照）とは独立して持ち運び可能であり、傘２００の柄２０１に着脱可能に取り付けられる。傘用盗難防止錠１００は、その本体１、本体１に固着された係止部２、本体１に内蔵され本体１から引き出されるワイヤー３、本体１に内蔵されたロック部（施錠部）４を有する。
【００１０】
本体１は、その一部を欠いたリング状の形状を有し、その一端の近傍にワイヤー穴１４及び係止穴１３を有する。具体的には、この例において、本体１は、所定の厚さを有するリング（又は、中空の円筒）を２分割（この例においては、２等分）した第１及び第２の部材１１及び１２からなり、第１及び第２の部材１１及び１２の各々の一端を開閉可能に相互に接続した形状を有する。本体１は、その内周が円形状であれば、その外周は必ずしも円形状でなくともよい。本体１は、例えばプラスチック又はアルミニウム（又はその合金）のような軽量の金属からなる。本体１の第１の部材１１にはロック部４、係止穴１３、ワイヤー穴１４が設けられ、本体１の第２の部材１２に係止部２、ワイヤー３が設けられる（この逆であってもよい）。
【００１１】
例えば、携帯時及び傘２００への取り付け後においては、図１（Ｃ）に示すように、本体１であるリングを閉じる。傘２００への取り付け時においては、図１（Ａ）及び図１（Ｂ）に示すように、本体１であるリングを一旦開き、傘２００の柄２０１をリングの中央部分に入れた後、本体１であるリングを閉じる。これにより、本体１は、傘２００の柄２０１を挟み込み、内部に保持することができる。
【００１２】
なお、傘２００に盗難防止キーを付けるユーザーはある程度高価な傘２００の所有者が多いと予想されるので、本体１の外周面には、品の良いシンプルなデザインが施される。その他、オシャレなデザイン、可愛いデザイン等バラエティに富んだデザインを用意する。これにより、傘用盗難防止錠１００を傘２００に取り付けるアクセサリーとすることができる。
【００１３】
係止部２は、本体１の他端に係止部２の一端が固定され、係止部２の他端に係止爪を有し、所定の状態で係止爪２１を係止穴１３に挿入することが可能であって、当該状態において本体１の一端のワイヤー穴１４に対応するように設けられるワイヤー長穴２２を有する。具体的には、この例において、係止部２は、その一端が本体１の一方（この例では第２の部材１２）の先端に接着剤等で固着され、伸縮性のある部材で構成される。例えば、伸縮性のあるゴム、布等の素材からなる。係止部２は、その他端（即ち、本体１の第１の部材１１に固着されている一端とは反対側の先端）の略中央に、係止爪（フック）２１を有する。係止爪２１は、当該係止部２をある程度伸ばした状態で、始めて係止爪２１を係止穴１３に挿入することが可能であるように（そのような長さに）される。ワイヤー長穴２２は、このような状態において第１の部材１１のワイヤー穴１４に対応するように設けられる。係止爪２１は、本体１の係止穴１３に差し込まれて係止され（軽く固定され）、ロック部４により本体１にロックされる。
【００１４】
傘２００の柄２０１を傘用盗難防止錠１００の本体１で挟み込み、本体１の第２の部材１２に固定された係止部２を引っ張って伸ばしながら、本体１の他方の部材１１の係止穴１３に差し込む。係止部２に伸縮性があるので、傘２００の柄２０１の太さにかかわらず、傘用盗難防止錠１００を殆どの傘２００に取り付けることができる。
【００１５】
なお、係止部２は、伸縮性のある素材以外でも構成することができる。例えば、係止部２の係止爪２１を、本体１の部材１２に設けられたガイドレールに沿って前後（本体１の円周方向）に移動できるようにし、所望の位置で固定できるようにしてもよい。
【００１６】
係止部２はワイヤー長穴２２を有する。ワイヤー穴長２２は、係止爪２１が係止穴１３に差し込まれた場合において、本体１の部材１１のワイヤー穴１４に対応するように、ワイヤー穴１４と同一の形状で設けられる。ワイヤー穴長２２を係止部２の長手方向（本体１の円周方向）に長くすることにより、係止部２が伸縮しても、ワイヤー穴１４に対応させることができる。
【００１７】
ワイヤー３は、本体１の他端の内部にその大部分が内蔵され、本体１から引き出され、その先端がワイヤー長穴２２を介してワイヤー穴１４に挿入される。具体的には、この例において、ワイヤー３は、本体１の第２の部材１２にその大部分が内蔵され、本体１の第２の部材１２から引き出され、その先端３１がワイヤー長穴２２を介してワイヤー穴１４に挿入される。ワイヤー３は、後述するように、本体１の第２の部材１２に自動的に巻き取られる。これにより、ワイヤー３を引き出さない状態では、その先端３１のみが内部に引き込まれることなく露出しているので、傘用盗難防止錠１００がかさばることがない。ワイヤー３をワイヤー穴１４に挿入した状態では、ワイヤー３が本体１と傘立て等とを結ぶ直線にほぼ沿って伸びた状態（図５参照）となるので、傘用盗難防止錠１００がかさばることがない。このように、ワイヤー３が自動的に巻き取られるため、傘２００に傘用盗難防止錠１００を取り付けてもかさばらず小型軽量なため、例えば女性がお気に入りの傘２００に取り付けて使用することができる。
【００１８】
また、ワイヤー３は、複数本のより細いワイヤー鋼線（又は、いわゆるピアノ線）をより線構造としたものであることが望ましい。これにより、ワイヤー３に盗難防止に十分な強度（手では切断できない強度）を持たせながら、ワイヤー３をより細く従って軽量にすることができる。この結果、本体１をプラスチック等で構成することと併せて、傘用盗難防止錠１００を極めて小型で軽量にすることができ、お年寄り等でも容易に持ち歩き使用することができる。
【００１９】
ロック部４は、本体１の一端の内部に内蔵され、施錠状態でワイヤー穴１４に挿入されたワイヤー３をロックし、解錠状態でワイヤー３のロックを外す。具体的には、この例において、ロック部４は、本体１の第１の部材１１に内蔵される。ロック部４は、本体１から引き出されたワイヤー３が、係止部２のワイヤー長穴２２を介して、ワイヤー穴１４の所定の位置に挿入された場合、係止穴１３に挿入された係止爪２１を施錠（ロック）する。即ち、ワイヤー３により施錠される。これにより、係止部２が本体１にロックされ（外れなくなり）、本体１の第１及び第２の部材１１及び１２が開閉できなくなる。この結果、傘２００の柄２０１から傘用盗難防止錠１００を取り外すことができなくなる。なお、ワイヤー３も、同様に、ロックされる（外れなくなる）。
【００２０】
また、ロック部４は、所定の解錠手段により係止穴１３に挿入された係止爪２１のロックを外す。例えば、ロック部４は周知のダイヤル式錠とされる。なお、押しボタン式錠等のような周知の施錠方式であってもよい。例えば、ダイヤルを所定の位置又は番号に合わせる（解錠する）ことにより、係止爪２１のロックを外す。また、同様に、ワイヤー３のロックも外す。これにより、係止部２が本体１から容易に外れ、本体１の第１及び第２の部材１１及び１２が開閉できるようになる。この結果、傘２００の柄２０１から傘用盗難防止錠１００を容易に取り外すことができる。ワイヤー３により施錠していない状態において、傘用盗難防止錠１００は、傘２００から簡単に取り外すことができる。
【００２１】
図２及び図３は傘用盗難防止錠説明図であり、本発明の傘用盗難防止錠１００の本体１の第１の部材１１の主として内部の構成の一例を示す。特に、図２（Ａ）は第１の部材１１の端部の平面の一例を示し、図２（Ｂ）は第１の部材１１の内部平面の一例を示し、図３は第１の部材１１の端部の断面の一例を示す。
【００２２】
ロック部４は、この例では、その主要部が周知のダイヤルロック４１からなる。例えば、ダイヤルロック４１は、その外周に表示された４桁の番号（各々に０〜９の番号が表示された４個の番号リング）を所定の値（暗証番号）に揃えると解錠状態となり、それ以外では施錠状態となる。即ち、ダイヤルロック４１は、周知のように、施錠状態においてそのシャフト４２をロックし（固定し）、解錠状態においてシャフト４２のロックを解除する（自由にする）。シャフト４２は、例えば、円柱状とされ、中空円筒であるダイヤルロック４１の内部を貫通し、施錠状態においては所定の位置（施錠可能な位置）にある。これにより、シャフト４２は、施錠状態においてその長手方向に移動不可能とされ、解錠状態において長手方向に移動可能とされる。
【００２３】
なお、実際は、シャフト４２は、周知のように、番号リングの各々の軸方向の位置に対応して設けられた複数の凸部を有する。番号リングを暗証番号に設定すると、番号リングの内周に刻まれた凹部が軸方向及び円周方向に揃い、当該凸部を有するシャフト４２が移動可能となる。
【００２４】
シャフト４２の一端には、これと一体に形成されたワイヤー固定部４３が設けられる。ワイヤー固定部４３は、プラスチック板、金属板等の剛体からなり、ワイヤー固定用穴４４、係止部固定用穴４５を備える。ワイヤー固定用穴４４及び係止部固定用穴４５は、各々、ワイヤー穴１４及び係止穴１３に対応し、ワイヤー３（の先端部３１）及び係止部２１を挿入しロックするためのものである。
【００２５】
シャフト４２の一端（即ち、ワイヤー固定部４３の一端）は、バネ（例えばコイルバネ）４６を介して、第１の部材１１の壁面に固定される。シャフト４２の他端は、バネ４６よりも弱いバネ４７（例えばコイルバネ）及びピアノ線４８（又はワイヤー）を介して、回転可能に設けられた巻取部４９に固定される。巻取部４９の回転により、回転可能に設けられたピンローラ５０を介して、ピアノ線４８は巻取部４９に巻き取られる。これにより、ピアノ線４８を巻き取らない場合、シャフト４２は、バネ４６及び４７により、ワイヤー固定用穴４４及び係止部固定用穴４５が各々ワイヤー穴１４及び係止穴１３に対応する位置（第１の位置）となる状態とされる。ピアノ線４８を所定の長さだけ巻き取る場合、シャフト４２は、当該巻取りにより、ダイヤルロック４１により施錠可能な位置（第２の位置）となる状態とされる。
【００２６】
巻取部４９の上面には、例えば「ＬＯＣＫ」「ＦＲＥＥ」の文字が表示され、ロック時に例えば半回転されるようにする。当該半回転により巻き取られるピアノ線４８の長さは、シャフト４２を第１の位置から第２の位置まで移動させるように設定される。
【００２７】
例えば、ダイヤルロック４１の解錠状態において、ピアノ線４８を巻き取らない場合、シャフト４２は、バネ４６及び４７により、ワイヤー固定用穴４４及び係止部固定用穴４５が各々ワイヤー穴１４及び係止穴１３に対応する第１の位置にある。即ち、図２（Ａ）及び図２（Ｂ）の状態である。そこで、前述のように、本体１を傘２００の柄２０１に取り付けた後、係止部２１を係止穴１３に挿入する。これにより、係止部２１は係止部固定用穴４５にも挿入される。次に、傘立て３００等を通したワイヤー３の先端部３１をワイヤー穴１４に挿入する。これにより、ワイヤー３の先端部３１はワイヤー固定用穴４４にも挿入される。即ち、図３の状態である。
【００２８】
この後、巻取部４９を所定の量だけ回転させてピアノ線４８を巻取部４９により所定の長さだけ巻き取ると、この時点では長手方向に移動可能なシャフト４２は、当該巻取りにより、ダイヤルロック４１により施錠可能な第２の位置にある状態とされる。このシャフト４２の移動により、ワイヤー固定用穴４４に挿入されたワイヤー３（及び、係止穴１３に挿入された係止部２１）は、シャフト４２の位置を第１の位置に戻さない限り、抜き取れない状態となる。即ち、ロックされる。
【００２９】
この状態は、図３において、シャフト４２を図の右方向に前記所定の長さだけ移動させた状態である。即ち、ワイヤー固定用穴４４及び係止部固定用穴４５が各々ワイヤー穴１４及び係止穴１３から右方向へずれている。この結果、ワイヤー３の先端部３１及び係止爪２１には、これらに挿入されたために、右方向への引っ張り力が働く。また、ワイヤー３の先端部３１及び係止爪２１には、係止部２の伸縮性により、左方向への引っ張り力が働く。従って、ワイヤー３の先端部３１及び係止爪２１が、ワイヤー固定用穴４４及び係止部固定用穴４５の端部に引っかかり外れない。
【００３０】
そこで、この状態で、ダイヤルロック４１の４桁の数字リングを回転させて、これを施錠状態とする。これにより、シャフト４２はダイヤルロック４１により当該位置でロックされて、長手方向への移動は不可能な状態とされる。従って、ワイヤー固定用穴４４に挿入されたワイヤー３（及び、係止穴１３に挿入された係止部２１）は、抜き取れない状態となる。これにより、傘２００は傘立て３００に繋がれ、暗証番号を知らない限りロックを解除できない。この状態は、図３において、前述のように右方向へ移動したシャフト４２がその位置で固定された状態である。これにより、ワイヤー３の先端部３１及び係止爪２１がワイヤー固定用穴４４及び係止部固定用穴４５の端部に引っかかり外れない状態が固定される。
【００３１】
この後、ダイヤルロック４１の４桁の数字リングを回転させて暗証番号を表示する状態にすることにより、これを解錠状態とする。これにより、シャフト４２は、長手方向へ移動可能な状態とされ、バネ４６によりピアノ線４８の巻取りが元に戻る結果、元の第１の位置に戻る。即ち、ワイヤー固定用穴４４及び係止部固定用穴４５が各々ワイヤー穴１４及び係止穴１３に対応する位置となり、ワイヤー３及び係止部２１の抜き取りが可能となる。そこで、これらからワイヤー３（及び、係止部２１）を抜き取る。これにより、傘２００を傘立て３００から外すことができる。
【００３２】
図４は傘用盗難防止錠説明図であり、本発明の傘用盗難防止錠１００の本体１の第２の部材１２の内部の構成の一例を示す。特に、図４（Ａ）は第２の部材１２の端部の内部平面の一例を示し、図４（Ｂ）は第２の部材１２の端部の断面の一例を示す。
【００３３】
ワイヤー３は、バネを用いた周知のワイヤー巻取部３３により、常にこれに巻き取られる方向に働く力を受ける。これにより、人間がワイヤー３を引き出した場合にはこれに従って外部に引き出され、人間が引き出すことを止めた場合にはワイヤー巻取部３３に巻き取られようとする。この結果、傘用盗難防止錠１００を傘２００に取り付けない場合、ワイヤー３は、その先端部３１が巻取穴３２の達するまで巻き取られる。これにより、傘用盗難防止錠１００の携帯時等において、これが邪魔になることがない。このために、ワイヤー３の先端部３１の直径（に相当する部分の寸法）は、巻取穴３２の直径よりも大きくされる。また、傘用盗難防止錠１００を傘２００に取り付けた場合、ワイヤー３は、傘２００を巻き込んだ形である程度まで（図５参照）巻き取られる。これにより、傘２００を傘立て３００等に繋ぐことができる。
【００３４】
このように、本発明の傘用盗難防止錠１００は、係止部２を伸ばして本体１に係止した後にワイヤー３により施錠し、ダイヤルにより開錠するだけでよい。従って、本発明の傘用盗難防止錠１００は、殆どの傘２００に簡単に着脱可能であるので、傘２００に装着するとレストランやコンビニ等の傘置き場や様々な場所の手すり等にロックすることができ、また、新しい傘２００を購入した場合や複数の傘２００を所有する利用者がその日に使用する傘２００に容易に付け替えることができ、アクセサリーのように使用することができる。
【００３５】
図５は傘用盗難防止錠説明図であり、本発明の傘用盗難防止錠１００の使用状態を示す。
【００３６】
例えば店頭の傘置き場において、最初に、前述のように、傘２００に本発明の傘用盗難防止錠１００を取り付ける。次に、傘２００に取り付けた傘用盗難防止錠１００の本体１からワイヤー３を引き出して伸ばし、傘立て３００等に通して、その先端を傘用盗難防止錠１００の本体１にロックさせる。これにより、傘２００にロックされた傘用盗難防止錠１００が、傘立て３００に繋がれてロックされるので、傘２００の盗難を防止することができる。ワイヤー３は、傘立て３００以外にも、階段の手すり等、特に場所を選ぶことなく、種々の場所に容易に通すことができる。即ち、万能錠である。
【００３７】
一方、前述のように、傘用盗難防止錠１００のワイヤー３は細くされる。従って、仮に、ロックされたまま放置されても、ワイヤー３をペンチ等で切断することができる。従って、お店等に迷惑がかかることは殆どない。
【００３８】
なお、傘用盗難防止錠１００の購入者は、希望により例えば登録料を支払うことによって、製品に同梱の葉書によりユーザー登録をすることができる。ユーザー登録をした購入者は、製品に同梱の登録シールを傘用盗難防止錠１００の本体１に貼る。登録シールには、傘用盗難防止錠１００毎に固有の登録コードナンバー、ユーザーサポートセンターのＵＲＬ、メールアドレス、フリーコールの電話番号、そして「この傘が遺失物になった場合には、この番号にご連絡ください」との一文が記載されている。これにより、傘用盗難防止錠１００を取り付けた傘２００を置き忘れた場合、そのロックの有無にかかわらず、置き忘れたお店等からの連絡を期待することができる。傘用盗難防止錠１００の取り付けられた傘２００を置き忘れられたお店や駅の遺失物預かり所等は、傘用盗難防止錠１００に添付の登録シールに記載されているユーザーサポートセンターに電話すると、ユーザーサポートセンターが当該傘２００の所有者に連絡する。これにより、傘２００の所有者は当該傘２００を置き忘れても取り戻すことができる。
【００３９】
また、ユーザ登録は、当該購入者の所有するパーソナルコンピュータから、インターネットを介して、ユーザーサポートセンター（カスタマーセンター）のコンピュータへアクセスすることにより行ってもよい。この場合、当該コンピュータは、当該購入者についての種々のデータ（メールアドレスを含む）を登録するデータベースを備える。
【００４０】
更に、遺失物預かり所等は、その所有するパーソナルコンピュータから、インターネットを介して、ユーザーサポートセンターのコンピュータへアクセスすることにより、当該連絡を行ってもよい。そして、ユーザーサポートセンターのコンピュータから購入者のパーソナルコンピュータ（メールアドレス）へ、当該連絡を転送するか、又は、当該連絡に基づくメッセージを作成して送信するようにしてもよい。これにより、購入者はその住所等を知られることなく、置き忘れた傘２００を遺失物預かり所等から取り戻すことができる。
【００４１】
【発明の効果】
以上説明したように、本発明によれば、傘用盗難防止錠において、傘から錠が独立しているので、使用者が自分の好みの傘に錠を取り付けることができ、また、工具は不要であり着脱が容易（着脱自在）であるので、傘に一度取り付けた錠を他の傘に付け替えることも容易であり、また、例えばチェーンを取り付ける必要がないので、錠がかさばったり重くなったりすることがなく、持ち運びに便利であり、誰にでも傘用の錠として使用することができる。これにより、高価な傘等の盗難を有効に防止することができる。
【図面の簡単な説明】
【図１】傘用盗難防止錠構成図である。
【図２】傘用盗難防止錠説明図である。
【図３】傘用盗難防止錠説明図である。
【図４】傘用盗難防止錠説明図である。
【図５】傘用盗難防止錠説明図である。
【符号の説明】
１    本体
２    係止部
３    ワイヤー
４    ロック部
１１    第１の部材
１２    第２の部材
１３    係止穴
２１    係止爪
２２    ワイヤー長穴
１００    傘用盗難防止錠
２００    傘
【図１】
2005009094.tif 000003
【図２】
2005009094.tif 000004
【図３】
2005009094.tif 000005
【図４】
2005009094.tif 000006
【図５】
2005009094.tif 000007